Podtech/llm-jp-corpus-v4-ja_patent huggingface dataset:
(57)【要約】      （修正有）【課題】簡単な構成により、流体ジェットに気泡を交互に混入させて脈動を生じさせ、洗浄効率の向上を図るとともに、携帯性と低コスト化が図れる洗浄器を提供する。【解決手段】液体を補給可能とした密閉容器１３に内部気体の加圧装置１６を設けるとともに、密閉容器内に、液面により閉塞されることのない加圧空気の吸い込み口２１を有する液体吸い込みパイプ１７を設け、この液体吸い込みパイプの吐出端に、噴射開閉弁１９を備えた吐出パイプ２０を接続する構成とし、密閉容器内の畜圧気体により気液パルス流効果を得て、噴射開閉弁の作用により口腔内などの洗浄を行う。【選択図】図１
0003228142.tif 000002
【実用新案登録請求の範囲】
【請求項１】
口腔洗浄用の液体を噴射する吐出パイプを備えた洗浄器において、液体を補給可能とした密閉容器に内部気体の加圧装置を設けるとともに、該密閉容器内に、液面により閉塞されることのない加圧空気の吸い込み口を有する液体吸い込みパイプを設け、この液体吸い込みパイプの吐出端に、噴射開閉弁を備えた吐出パイプを接続し、同じ圧力の加圧水と圧搾空気とを液体吸い込みパイプ内に導入するようにしたことを特徴とする洗浄器。
【考案の詳細な説明】
【技術分野】
【０００１】
本考案は、特に歯間部歯垢の洗浄、および、歯肉マッサージ効果をもつ口腔などの洗浄器に関する。
【背景技術】
【０００２】
厚生省の調査(1987年)によると、35才以上の日本人の80％に歯肉に何らかの所見が見られ、40才以上の80％は歯を無くす理由が歯周疾患である。歯面に歯垢(プラーク)が付着し、それから出される内毒素や酵素、細菌産生物が歯肉を刺激し炎症が引き起こされる(歯肉炎)。歯肉組織がさらに破壊され歯を支える骨まで炎症が及ぶと歯周炎(いわゆる歯槽膿漏)となる。歯周疾患の原因は歯垢に起を発するが、通常の歯磨き動作では特に歯間部の歯垢を除去することは困難である。そのため、歯を磨かない日本人は皆無にも拘らず歯周疾患が高比率に存在する理由は「とくに歯間部の歯垢除去不良」であることが最近の定説となっている。
【考案の概要】
【考案が解決しようとする課題】
【０００３】
前述のような技術的背景に基き、近年オーラルケア意識の高まりにより、電動歯ブラシ, 口腔洗浄器, デンタルフロス, 歯間ブラシなどの歯垢除去用品が多数開発されている。
(a)電動歯ブラシにおいては、一般の歯ブラシと同様に歯間部の歯垢除去が難しく、また、動きが速いため相対的に歯ぐきを傷つけやすいなどの欠点があり、更に高価である。
(b)口腔洗浄器は、洗面所の水道蛇口に接続して使用するものや、電動脈動ポンプによりジェット洗浄するものであるため、洗面所のみでの使用しかできず、携帯し随時使用し得ない。また、吐出した洗浄水が口から絶えずこぼれ出ることから、操作上せわしないという欠点や洗面所での使用に限られること、更に加えて高価である。
(c)デンタルフロスは、特に奥歯の手入れが面倒であるばかりでなく、ブリッジ歯には使用できない。また、クラウンや詰め物などを壊し易いなどの欠点がある。
(d)歯間ブラシにおいては、操作が面倒である。また、種々の大きさ, 形状のブラシが必要で、曲がり易く長持ちしにくいという経済的な課題もある。
【０００４】
本考案の目的は、簡単な構成により、流体ジェットに気泡を交互に混入させて脈動を生ぜしめ、洗浄効率の向上を図るとともに、携帯性と低コスト化が図れる洗浄器を提供することにある。
本考案はトラクターとトレーラーの重量バランスの観点から上記問題点を検討し、安全なトレーラーを提供することを目的としたものであり、スライド式トレーラーのメリットをいささかもそこねることなく、運行時のジャックナイフ現象が発生しにくいトレーラーを提供することを目的とする。
【課題を解決するための手段】
【０００５】
上記目的は、口腔洗浄用の液体を噴射する吐出パイプを備えた洗浄器において、液体を補給可能とした密閉容器に内部気体の加圧装置を設けるとともに、該密閉容器内に、液面により閉塞されることのない加圧空気の吸い込み口を有する液体吸い込みパイプを設け、この液体吸い込みパイプの吐出端に、噴射開閉弁を備えた吐出パイプを接続し、同じ圧力の加圧水と圧搾空気とを液体吸い込みパイプ内に導入するようにしたことにより達成される。
【考案の効果】
【０００６】
上述のように本考案の構成によれば、次のような効果が得られる。
【０００７】
気液パルス流効果による歯間などの洗浄作用が効率よく行われ、また、歯ぐきなどに作用させることにより適度のマッサージ効果が得られ、歯ぐきなどの健康保全化も図れる。
【０００８】
気泡を含むことにより吐出液量の低減化が図れる。
【０００９】
密閉容器内に蓄圧することにより、噴射開閉弁の単なる開閉操作で連続的な気液パルス流効果による歯間などの洗浄作用が効率よく行える。
【図面の簡単な説明】
【００１０】
【図１】本考案の洗浄器の正面図である。
【図２】その洗浄器の気液吸い込み管部の拡大断面図である。
【考案を実施するための形態】
【００１１】
運動量は質量×速度であり、運動量の時間的変化が洗浄パルス力となる。液体と気泡との質量差は約1000倍であり、きわめて有効な洗浄作用をもたらす。気泡を含むことにより、吐出液量、ひいては、排水量の減少が図れる。定量吐出ポンプ機構に適用すると、必要なときに必要な場所に狙って噴射できることから、使用時のせわしなさはない。また、携帯性もよくなる。さらに、容器内の空気を予め加圧しておくことにより、噴射弁の手許開, 閉操作のみで歯間などの洗浄を行える。
【００１２】
次に、図面について本考案実施例の詳細を説明する。
【００１３】
図1に示す符号13は密閉容器で、該密閉容器13の上部一側には密閉蓋14を備えた液体補給口15が設けられている。また、密閉容器13の上部には電動、または、手動の加圧装置16が設けてあり、密閉容器13の上部に加圧空気が供給されるようにしてある。17は、密閉容器13の内部一側に設けた「形の液体吸い込みパイプで、該液体吸い込みパイプ17の垂直部下端は底部に近接して開口され、また、上端は密閉容器13の上端側壁外に開口されている。この上部開口端には可撓性パイプ18の基部が連結されるとともに、該可撓性パイプ18の他端には噴射開閉弁19を基部にもつ吐出パイプ20が接続してある。そして、図2に示すように、前記液体吸い込みパイプ17の上部、即ち、液レベルより上方に加圧空気の吸い込み口21を形成し、同じ圧力の加圧水と圧搾空気とを液体吸い込みパイプ17内に導入するようにしたものである。
【００１４】
密閉蓋14をとり外して密閉容器13内に加圧空気の吸い込み口21より下のレベルまで水を容れ、密閉蓋14を閉じたのち加圧装置16を電動、または、手動にて作動し密閉容器13内に加圧空気を供給する。歯間洗浄時には、吐出パイプ20の先端を歯間に指向し噴射開閉弁19を開閉することにより、加圧空気/液体が吐出パイプ20方向に流れ、この間に気体と液体との動粘性係数の違いや、表面張力の効果により気泡が吐出パイプ20中に自動的に分散され、ノズル部20aでは洗浄効果をもつ液パルス流が生成され、歯間を洗浄する。
【図１】
0003228142.tif 000003
【図２】
0003228142.tif 000004
(57)【要約】      （修正有）【課題】不燃性の物品を保管するラック式及び自動倉庫等に使用できる不燃性の木製パレットを提供する。【解決手段】建築に使用されている建築基準法により認定されている不燃性能を有する木材（薬剤処理を行い不燃、準不燃、難燃化）や不燃性能を有する木質材を材料として木製の不燃パレットを制作する。【選択図】図１
0003228200.tif 000002
【実用新案登録請求の範囲】
【請求項１】
図１や図２のような一般的な木製パレットの１の荷受け材や２の荷受け補強材の材料に不燃性能を有した木材及び木質材を使用した不燃性能を有する木製パレット。
【考案の詳細な説明】
【技術分野】
【０００１】
本考案は不燃性の物品を保管するラック式及び自動倉庫に使用するために考案した不燃性能を有する木製パレットである。
【背景技術】
【０００２】
図１及び図２は一般的な木製パレットの形状で他にも四方差し等色々な形状がある。木製パレットは１の荷受け部と２の荷受け部補強材が木材及び木質材の材料で構成されている。不燃性の物品を保管するラック式及び自動倉庫には同様の形状や違う形状の金属等による不燃性のパレットが使用されている。また可燃性の木製パレットを使用する場合、面積等が一定規模を超えると建築基準法違反となる。不燃性の金属等による木製以外のパレットは形状等に工夫をしなければ地震時等にラックからずれたり落下する問題がある。
【先行技術文献】
【特許文献】
【０００３】
【特許文献１】特開２０１８−２２０５
【特許文献２】特開昭５５−３８２６５
【特許文献３】特開昭４９−２２５４
【考案の概要】
【考案が解決しようとする課題】
【０００４】
ラック式及び自動倉庫等に使用するパレットは木製が最適である。それは木材の持つ硬さや粘り等の材料特性で地震時におけるラック等からのずれや落下は最小限に止める事ができる。しかし図１や図２にあるような木製パレットの１の荷受け部及び２の荷受け補強部の材料は木材及び木質材で可燃物であり不燃性の物品を保管する倉庫には使用できない。
【課題を解決するための手段】
【０００５】
建築技術の進歩に伴い不燃性能を有する木材、木質材の普及も多くなってきた。建築に使用されている不燃性能を有する木材（薬剤処理を行い不燃、準不燃、難燃化）、不燃性能を有する木質材を図１や図２の１の荷受け部及び２の荷受け補強部に材料として使用することにより木製の不燃パレットが制作できる。
【考案の効果】
【０００６】
地震時におけるラックからのずれや落下を防止する目的の特殊な形状でなく図１や図２のような一般的なパレットの形状で不燃性を確保できるので普及しやすい。
【図面の簡単な説明】
【０００７】
【図１】単面形２方差し木製パレット姿図
【図２】両面使用形２方差し木製パレット姿図
【産業上の利用可能性】
【０００８】
パレット自体に不燃性能を有するため、ラック式や自動倉庫以外の不燃性の物品を保管及び運搬するときにも安全に使用できる。
【符号の説明】
【０００９】
１  荷受け部
２  荷受け部補強材
【図１】
0003228200.tif 000003
【図２】
0003228200.tif 000004
【手続補正書】
【提出日】令和2年7月13日(2020.7.13)
【手続補正１】
【補正対象書類名】実用新案登録請求の範囲
【補正対象項目名】全文
【補正方法】変更
【補正の内容】
【実用新案登録請求の範囲】
【請求項１】
木製パレットの荷受け材や荷受け補強材の材料に不燃性能を有した木材及び木質材を使用した不燃性能を有する木製パレット。
(57)【要約】      （修正有）【課題】使い勝手の便利なマスクケースを提供する。【解決手段】ケースシート１の中間下の縦溝２を三角折り出し形のつみ３にてつなぐとともに、左右端に相対して切り出し掛止爪４ａと止溝４ｂを設けて、三角折り出し形のつまみをつまみ上げることで下半の左右を片手にて一緒に折り上げ得るようにし、且つマスクケースを長手方向に二つ折りしたときに切り出し掛止爪の止溝への嵌め止めにて掛止することができるようにした。【選択図】図２
0003228169.tif 000002
【実用新案登録請求の範囲】
【請求項１】
ケースシートの中間下の縦溝を三角折り出し形のつみにてつなぐとともに、左右端に相対して切り出し掛止爪と止溝を設けて、三角折り出し形のつまみをつまみ上げることで下半の左右を片手にて一緒に折り上げ得るようにし、且つマスクケースを長手方向に二つ折りしたときに切り出し掛止爪の止溝への嵌め止めにて掛止することができるようにしたことを特徴とするコンパクトマスクケース。
【請求項２】
三角折り出し形のつまみと横折り目を支えにして２種の簡易スタンドを形成するようにした請求項１に記載のコンパクトマスクケース。
【考案の詳細な説明】
【技術分野】
【０００１】
この考案はコンパクトマスクケースに関するものである。
【背景技術】
【０００２】
現在市販されているマスクケースは、図６（ａ）乃至（ｅ）に示すように横長形のシート１の中心下に細帯状の縦溝２を設けて、マスクМを谷折りしてシート１の上半に載せ、縦溝２で分かれた下半の左右１ａ，１ｂを順に折り上げてマスクМを包み、次いでマスクМを包んだシートを横長方向に二つ折り（ｄ）してマスクМから引き出す耳かけ用のゴム輪７を廻わし掛け（ｅ）して止めるようにしている。
【先行技術文献】
【特許文献】
【０００３】
【特許文献１】なし
【考案の概要】
【考案が解決しようとする課題】
【０００４】
しかしながら、上記のマスクケースは縦溝２によって下半が左右に分かれているために図６（ｃ）（ｄ）に示すように下半の左右を両手で一方ずつを持って折り上げねばならないという課題がある。
【０００５】
また。従来のマスクケースはマスクを収納しないときの携帯，保管時に広がったり、乱雑な形状となって携帯，保管を不便にしているという課題がある。
【課題を解決するための手段】
【０００６】
本考案はマスクケースに設けられていた縦溝を下広角形に改良するとともにその下部に三角折り出し形のつまみを設けて、このつまみにて縦溝をつないだことで、つまみをつまんで縦溝を挟んだ左右の下半を片手で一緒に折り上げ得るようにして、従来の両手で折り上げていた課題を解消する。
【０００７】
またマスクケースの下半の左右端の相対位置に切り出し掛止爪と止溝を設けて、マスクを収納しないとき折り畳んだマスクケースをこの掛止爪の止溝への掛け止めにて固定してマスクケースが広がったり乱雑な形状となることを防止して課題を解決する。
【０００８】
さらに本考案は三角折り出し形のつまみを支えにしてマスクを置きたい時の簡易スタンドを形成することができるようにする。
【考案の効果】
【０００９】
本考案は三角折り出し形のつまみをつまむことで、片手にてケースシートの下半の左右を容易に折り上げて上半に合わせることができるという効果を生ずる。
【００１０】
切り出し掛止爪を止溝に掛け止めすることで、ケースを折り畳んだ際にケースの広がりや乱雑な形状となることを防止することができるという効果を生ずる。
【００１１】
三角折り出し形のつまみを支えにして一次保管するときのスタンドとすることができるという効果を生ずる。
【図面の簡単な説明】
【００１２】
【図１】本考案実施例のマスクケースの展開状態の正面図
【図２】つまみをつまんで下半を折り上げた状態を示す斜視図
【図３】縦折り目に沿って二つ折りしてマスクのゴム輪の廻わし掛けにて固定した状態を示す斜視図
【図４】マスクを収納しないときに切り出し掛止爪と止溝にて固定した状態を示す斜視図
【図５】（ａ）は縦長形のスタンドとした状態を示す斜視図、（ｂ）は折り立て形のスタンドとした状態を示す斜視図
【図６】従来例の使用状態を示す説明図
【考案を実施するための形態】
【００１３】
本考案はマスクを収納する大きさの横長形をしたケースシートの下半の中間に下広角形の縦溝を設けるとともに、その中間下に三角折り出し形のつまみを設けてつなぎ、さらにケースシートの下半の左右端の相対位置に切り出し掛止爪と止溝を設けてマスクケースとする。
【００１４】
マスクはケースシートの上半に谷折りして載せ、つまみをつまんで縦溝を挟んだ下半の左右を一緒に折り上げて上半に合わせてマスクを包み、次いでケースシートを横長方向に二つ折りしてコンパクトにしてからマスクの耳かけ用のゴム輪を引き出して折り畳んだマスクケースに巻き付けて固定して携帯，保管を便利にする。
【実施例１】
【００１５】
以下は本考案の実施例である。
図１に示すように、紙またはプラチックにて横長形のケースシート１を形成し、その中間下に下広角形の縦溝２を設け、その下半に三角折り出し形のつまみ３を渡設して縦溝２をつなぎ、且つケースシート１の下半の左右端に切り出し形の掛止爪４ａと止溝４ｂを相対するように設けてマスクＭの収納ケース５とする。なお、６ａ，６ｂは折り曲げやすくするための縦横の折り目である。
【００１６】
マスクМを収納するときは、図１に示すように開いたケースシート１の上半に谷折りしたマスクМを載せ、次いで図２に示すようにつまみ３をつまんで縦溝２にて分かれた下半の左右１ａ，１ｂを横折り目６ａに沿って片手にて一緒に折り上げてマスクМを包み、しかる後図３に示すようにマスクケース５を縦折り目６ｂに沿って二つ折りしてコンパクトにしてマスクМから引き出す耳かけ用のゴム輪７を廻わし掛けして固定するのである。
【００１７】
つまみ３をつまみ持つことで従来両手で折り上げていた下半の左右１ａ，１ｂを片手で難なく折り上げることができることになる。
【００１８】
また、マスクМを収納しないときのケースシート１は、図４に示すように上半に下半を合わせるように谷折りしてから長手方向に二つ折りしてコンパクトにして切り出し掛止爪４ａを止溝４ｂに嵌めて固定するのである。
【００１９】
ケースシート１は広がりや乱雑な形状になることが防止されて衛生的に便利に携帯，保管することでできることになる。
【００２０】
さらにケースシート１はつまみ３を支えにして図５（ａ）（ｂ）に示すように横長形のスタンドＳ１を形成し、また二つ折りして横折り目６ｂ折り立て形のスタンドＳ２を形成することができる。
【産業上の利用可能性】
【００２１】
本考案のマスクケースは使い勝手がよく且つ便利な要素を多く有すことで広く利用されるものである。
【符号の説明】
【００２２】
１はケースシート
２は下広角形の縦溝
３はつまみ
４ａは切り出し形の掛止爪
４ｂは止溝
５はマスクケース
６ａ，６ｂは縦横の折り目
７はゴム輪
Мはマスク
Ｓ１は横長形のスタンド
Ｓ２は折り立て形のスタンド
【図１】
0003228169.tif 000003
【図２】
0003228169.tif 000004
【図３】
0003228169.tif 000005
【図４】
0003228169.tif 000006
【図５】
0003228169.tif 000007
【図６】
0003228169.tif 000008
(57)【要約】      （修正有）【課題】水害などにより地面から上がってくる水によりエンジン等が故障してしまうことを防止できる保護カバーを提供する。【解決手段】車のサイズに合わせて面ファスナー４を外周に設けた防水性能付きシートをベルト５で固定し、囲まれた密封空間の中に車を置くことにより、地面から上がってくる水の侵入を防ぐ。【選択図】図２
0003228184.tif 000002
【実用新案登録請求の範囲】
【請求項１】
車輌を雨、台風などの水害からエンジン、電子機器等を守ることを特徴とする車輛を包み込み密閉するためにベルト等が具備された防水性能付き保護シート。
【考案の詳細な説明】
【技術分野】
【０００１】  車のサイズに合わせたマジックテープ等が具備された防水機能付きシートで車体を包み込み密閉させることにより、水かさの上がった雨などから車輛を保護するものである。
【背景技術】
【０００２】  大雨、川の氾濫等で水かさが増すことにより水没し、車のエンジン、電子機器等が故障してしまうことがある。
【考案の概要】
【０００３】  地面から水かさが上がる雨、川などの水害から車を保護するための防水機能付きシートである。
【考案が解決しようとする課題】
【０００４】  従来この種の水害に対して、あらかじめ状況を把握できる場合には高所へ移動可能な場合、その場所へ移動させるなどで対応が可能である。しかし、移動が出来ない場合は解決策が無かった。
【課題が解決するための手段】
【０００５】  本考案は上記従来例の問題点を解決すべく、防水機能付きシートを車の下に敷き、シートに取り付けたマジックテープを車体の左右から貼り合わせた後、そのマジックテープの合わせ目が隠れるように数回巻き込み、それをシートに具備されたベルト等で抑える。
【図面の簡単な説明】
【０００６】
【図１】  車のサイズに合わせた形状の防水機能付きシート
【図２】  マジックテープ付きの防水機能付きシートで車を包み込み、シート内の密閉を維持させるためにベルトで固定させている状態
【符号の説明】
【０００７】１  車
２  マジックテープ
３  防水機能付きシート
４  マジックテープを巻き込んで状態
５  （４）を固定するためのベルト
【図１】
0003228184.tif 000003
【図２】
0003228184.tif 000004
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
車輛を雨、台風などの水害からエンジン、電子機器を守ることを特徴とする車輛を包み込み密閉するためにマジックベルトがシートの外周に具備された防水性能付き保護シート。
(57)【要約】      （修正有）【課題】キャンピングカー室内の２段式ベッドにおいて、２段式ベッドの前向き式座席背もたれと兼用する装置を提供する。【解決手段】座席背もたれ２を、水平に持ち上げ２段ベッド本体１に接続し、可動式の棒６によって固定することで、２段ベッド上段の長さを確保と前向き座席を両立させる。また座席の一部を、２段ベッド上段の枕３に転用し、座席の一部を下段ベッドと接続させることにより、下段ベッド長さを確保する。【選択図】図６
0003228186.tif 000002
【実用新案登録請求の範囲】
【請求項１】
キャンピングカー室内の２段式ベッドの上部を折りたたみ、前向き式座席の背もたれとして使用するとともに、ベッド使用時に上部ベッドを水平に維持する装置
【考案の詳細な説明】
【技術分野】
【０００１】２段式ベッドの座席への転換、２段式ベッドの上段を前向き式座席背もたれの兼用に関するものである。
【背景技術】
【０００２】２段式ベッドはこれまで、前向き式座席と兼用することが困難で、キャンピングカー内では別々に設置され、ベッド使用時と座席使用時に共用されることはなかった。
【考案の概要】
【考案が解決しようとする課題】
【０００３】キャンピングカー室内の限られた長さの中で、２段式ベッドと前向き式座席を搭載することは困難であった。前向き式座席の背もたれ部分を、２段ベッドの一部に利用することによりベッド長を確保でき、前向き座席と２段式ベッド使用を可能にしようとするものである。
【考案が解決しようとする手段】
【０００４】２段式ベッドの上段を分割し蝶番を設置し、下方に折れるように加工。下方に折れた部分が前向き式座席の背もたれ部分になる。また２段式ベッド上段の枕部分が背もたれ部分より下方に垂れ下がることで、腰当て部分にも兼用される。また２段式ベッドの下段の一部も分割され、前向き式座席の座面の一部となる。これにより前向き式座席と２段ベッドの両方での使用が可能になる。２段式ベッドは、ベッド下部に付けられた可動式の棒によって固定される
【考案の効果】
【０００５】上述のように従来のキャンピングカー室内では両立が困難であった、前向き式座席と２段式ベッドが少ない面積で設置可能になり、使用者の快適な移動とベッド使用が可能になった。
【図面の簡単な説明】
【０００６】
【図１】本考案の前向き式座席使用時の側面図
【図２】２段式ベッド使用時の側面図である。
【図３】本考案の前向き式座席使用時の展開図である
【図４】本考案の２段式ベッド使用時の展開図である。
【図５】２式ベッド上部を支えるための可動式の棒である。
【図６】座席使用時と２段ベッド使用時の各部の役割を示す側面図である。
【考案を実施するための形態】
【０００７】２段式ベッドの下段マットの分割部分を外し、前方が持ち上がる形で改めて固定する。上段マット下部の引き出し式の固定具を格納させ下に垂らし、上段の設置された枕部分をさらに展開し下段マット部分に斜めに差垂らし固定させる。
【実施例】
【０００８】添付図面に沿って説明する。１は固定された２段ベッドの上段の一部、２は２段ベッドの可動部分の一部で１と蝶番でつながれている。３は２段ベッド上段の枕となる部分の一部、４は２段ベッド下段の脱着可能部分の一部、５は２段式ベッドの一部で収納庫の蓋と兼用される。６は２段ベッド上段を支える可動式の棒、７は可動式の棒を収納する筒体、８は下段ベッドと座席の一部を支える箱状の筒体【０００９】座席から２段ベッド上部の使用は、２の可動部分を水平まで引き上げ、３をさらに２の可動部分上部に置いてから、６の支える可動式の棒を引き出せば完了する。４の下段ベッドの一部を取り外し、水平に置けば下段ベッドの使用も可能となる。【００１０】本考案は、２のベッドの一部分を可動式の棒によって固定するもので、これにより勘弁に上段ベッドの使用が可能になる。３の枕部分の操作や４の下段ベッドの操作は必要なときに行われる。
【符号の説明】１  ２段ベッド上段の固定部分
２  ２段ベッド上段の可動部分
３  ２段ベッド上段の枕
４  ２段ベッド下段の脱着可能部分
５  ２段ベッド下段の一部
６  可動式の棒
７  可動式の棒を収納する筒体
８  箱状の筒体
【図１】
0003228186.tif 000003
【図２】
0003228186.tif 000004
【図３】
0003228186.tif 000005
【図４】
0003228186.tif 000006
【図５】
0003228186.tif 000007
【図６】
0003228186.tif 000008
【手続補正書】
【提出日】令和2年6月12日(2020.6.12)
【手続補正１】
【補正対象書類名】実用新案登録請求の範囲
【補正対象項目名】全文
【補正方法】変更
【補正の内容】
【実用新案登録請求の範囲】
【請求項１】
キャンピングカー室内の２段式ベッドにおいて、枕部分も含む一部分が、蝶番を介して他の部分に対して下方に倒れるように接続され、下部に可動式の棒を備える前記２段式のベッドの上段と、前向き式座席の座面の一部となる部分を備える前記２段式ベッドの下段と、を備え、
前期上段の前記一部分を折りたたみ、前期前向き式座席の背もたれとして使用するとともに、ベッド使用時に前記可動式の棒によって前記上段の前記一部分を水平に固定することを特徴とする２段式ベッドの前向き式座席背もたれと兼用する装置
(57)【要約】      （修正有）【課題】踏み台に上がらないと、中が見えない不便さを解消する吊戸棚を提供する。【解決手段】吊戸棚は、吊戸棚本体７の内部に内戸棚を設け、内戸棚に取り付けたワイヤー４を電動モーター１で上下方向に駆動する。【選択図】図１
0003228188.tif 000002
【実用新案登録請求の範囲】
【請求項１】
吊戸棚本体の内部に内戸棚を設け、内戸棚に取り付けたワイヤーを電動モーターで上下方向に駆動することを特微とする吊戸棚。
【請求項２】
本考案は、吊戸棚に電動モーターを取り付けることで、内部の棚が下がる事ですぐ手がとどく棚に変わった。
【考案の詳細な説明】
【考案の詳細な説明】
【技術分野】
【０００１】この考案は流し台の上に設置する吊戸棚に関するものである。
【背景技術】
【０００２】現在は流し台の吊戸棚は物置になっています、踏み台がないと中が見えない、吊戸棚の中の棚が下がる事で、目の前の棚に変身する。
【先行技術文献】
【特許文献】
【考案の概要】
【考案が解決しようとする課題】
【０００３】従来はバネ式で棚の戸を明けて引き出す方法もありますが、バネ式の棚が大きくて、本来の棚の部分のスペースが少なくなってる。【０００４】本考案は、目の前に棚が下がってくる、棚のスペースは広い。今後、吊戸棚の分野では利用価値は大である。対面キッチン吊戸棚に連動した場合は流し台の前進的存在である。
【課題を解決するための手段】
【０００５】本考案は、踏み台がないと、中が見えない届かない吊戸棚を電動モーターで棚が下がってくる事で、目の前で使用する事ができる。
【考案の効果】
【０００６】高い見えない吊戸棚が、毎日使用できる棚に変身した、稼働することで陳列スペースが広くなり利点も多い。電動式にすることで台所で死んだ場所がなくなったのである。
【図面の簡単な説明】
【０００７】
【図１】縮尺１００／１  吊戸棚正面  断面図である。
【図２】縮尺１００／１  吊戸棚横面  断面図である。
【図３】見当図  吊戸棚ポイント部分の図面である。
【図４】見当図  ［図４−１］内戸棚収納時の図面である。［図４−２］内戸棚使用時。考案の基本形である。
【考案を実施するための形態】
【０００８】従来の流し台の吊戸棚のように外箱を壁に取付ける。吊戸棚なので天井に金具で取りつける。低速モーターで内戸棚を、スイッチで上下させる。必要に応じて、停止することができる。内戸棚が下がる事で有効可動が広くなったのである。
【産業上の利用可能性】
【０００９】現在のシステムキッチンに、この考案を取り入れたら、一歩前に進んだ吊戸棚のイメージになり進歩です。対面キッチンの吊戸棚の場合は利点が多いと思われます。１０  ２０  ３０  ４０  ５０（３）ＪＰ  ３２００３９６  Ｕ  ２０１５．１０．２２  低速モーターの開発、普及。キッチンのリフォーム普及。
吊戸棚のサイズ。Ｗ  １．６００〜１．２００  Ｈ  ７００。内容量２０キロ
Ｉ．主動モーター  ＡＣ１００Ｖ５０／６０Ｈ８０Ｗ
【図１】
0003228188.tif 000003
【図２】
0003228188.tif 000004
【図３】
0003228188.tif 000005
【図４】
0003228188.tif 000006
【手続補正書】
【提出日】令和2年6月13日(2020.6.13)
【手続補正１】
【補正対象書類名】実用新案登録請求の範囲
【補正対象項目名】全文
【補正方法】変更
【補正の内容】
【実用新案登録請求の範囲】
【請求項１】
吊戸棚本体の内部に内戸棚を設け、内戸棚に取り付けたワイヤーを電動モーターで上下方向に駆動することを特微とする吊戸棚。
【請求項２】
本考案は、吊戸棚に電動モーターを取り付けることで、内部の棚が手が届くところまで下がり、また、対面キッチンの吊戸棚の場合は、棚の区割も使用に合わせて区切ることができることを特徴とする吊戸棚。
(57)【要約】      （修正有）【課題】座面に背もたれ部分を置いたまま装着が可能となるキャンピングカーの座席の車体と背もたれの脱着装置を提供する。【解決手段】キャンピングカーの座席の背もたれの装着装置であって、背面にファスナー４ｂ付きの布２を装着した背もたれ３と、車体に固定されたファスナー４ａを備えた布１とを備え、車体側の布のファスナーと背もたれ側の布のファスナーとを接続する。【選択図】図２
0003228185.tif 000002
【実用新案登録請求の範囲】
【請求項１】
背もたれ背面にファスナー付きの布を装着し、装着時に手で保持せずともファスナーによる装着を可能にし、より装着しやすくする装置
【考案の詳細な説明】
【技術分野】
【０００１】２段式ベッドの座席への転換、２段式ベッドの上段を前向き式座席背もたれの兼用に関するものである。
【背景技術】
【０００２】車両本体を有するキャンピングカーにおいて、寝具を兼ねる座席の背もたれの装着は、装着時の支えがなく装着が困難だった。
【考案の概要】
【考案が解決しようとする課題】
【０００３】キャンピングカーの寝具を兼ねる座席の背もたれは、座面から装着部分との高さの差異から、車体との装着時に手で支持しながらの固定を行わねばならず、作業者には困難な作業であった。
【考案が解決しようとする手段】
【０００４】車体側の布１と縫い付けたファスナー４ａと背もたれ側の布２とファスナー４ｂで接続するとき、布の長さが固定する高さに充分ある場合、作業者は背もたれ３を保持することなく接続することができる。接続後にマジックテープ５ａと５ｂで接着し背もたれとして機能する場所に固定する。
【考案の効果】
【０００５】背もたれ部分を手で高さを保持することなく、背もたれを固定できる。
【図面の簡単な説明】
【０００６】
【図１】本考案の背もたれと座面と接続部分の側面図である。
【図２】本考案の背もたれと座面の図である。
【図３】本考案の座席使用時と寝台使用時の各部の座面と背もたれの関係図である。
【考案を実施するための形態】
【０００７】車体側に固定された布と背もたれ側に固定された布を接続させ、座席座面に背もたれ部分を置いたまま装着作業が可能になる。
【実施例】
【０００８】添付図面に沿って説明する。車体に固定された布１と背もたれに装着された布２を、車体に固定された布１のファスナー４ａと背もたれ側に固定された布のファスナー４ｂで接続し、座面６に置かれた背もたれを持ち上げ、背もたれに装着された布に装着されたマジックテープ５ａと背もたれに装着されたマジックテープ５ｂとを接着し、背もたれ３を所定の位置に固定する。【０００９】背もたれを外すときは、車体に固定された布１のファスナー４ａと背もたれ側ファスナー４ｂを外すだけで分離が可能になる。
【符号の説明】１  車体側に固定された布
２  背もたれ側に固定された布
３  背もたれ
４ａ  車体側に固定された布のファスナー
４ｂ  背もたれ側に固定された布のファスナー
５ａ  背もたれに装着された布に装着されたマジックテープ
５ｂ  背もたれ３に装着されたマジックテープ５ｂ
６  座面
【図１】
0003228185.tif 000003
【図２】
0003228185.tif 000004
【図３】
0003228185.tif 000005
【手続補正書】
【提出日】令和2年6月12日(2020.6.12)
【手続補正１】
【補正対象書類名】実用新案登録請求の範囲
【補正対象項目名】全文
【補正方法】変更
【補正の内容】
【実用新案登録請求の範囲】
【請求項１】
キャンピングカーの座席の背もたれの装着装置であって、背面にファスナー付きの布を装着した背もたれと、車体の固定されたファスナーを備えた布とを備え、車体側の布のファスナーと背もたれ側の布のファスナーとを接続する装置
(57)【要約】      （修正有）【課題】長期にわたって害獣を効果的に駆除可能な害獣駆除装置を提供する。【解決手段】液体燃料Ｆを収容するための、上部１２が開放した燃料容器１の内部に燃焼用容器２が収容される。燃焼用容器２は、上部が開放し、下部に前記液体燃料を内部に通す孔２２を有する。芯材が布材３２にガスケットロープ３１を取り付けて成り、燃焼用容器の内部に収容されている。孔２２を通して燃焼用容器の内部に浸入した液体燃料に布材３２が浸るようになっている。【選択図】図１
0003228053.tif 000002
【実用新案登録請求の範囲】
【請求項１】
液体燃料を収容するための、上部が開放した燃料容器と、
上部が開放し、下部に前記液体燃料を内部に通す孔を有し、前記燃料容器の内部に収容された燃焼用容器と、
布材にガスケットロープを取り付けて成り、前記孔を通して前記燃焼用容器の内部に浸入した前記液体燃料に前記布材が浸るよう前記燃焼用容器の内部に収容された芯材とを、
有することを、特徴とする害獣駆除装置。
【考案の詳細な説明】
【技術分野】
【０００１】
本考案は、猪などの害獣を寄せ付けないための害獣駆除装置に関する。
【背景技術】
【０００２】
従来、支柱の上部にガラリ付容器と乾燥させるための電熱器及び農薬を拡散させるプロペラ２基とモーター、また害鳥、野猪の駆除に対する音波発生器を備え、動力は風力または太陽電池とした害鳥、野猪駆除装置が開示されている（例えば、特許文献１参照）。
【先行技術文献】
【特許文献】
【０００３】
【特許文献１】実開平５−４８６７９号公報
【考案の概要】
【考案が解決しようとする課題】
【０００４】
しかしながら、特許文献１の駆除装置では、音波発生器による音に次第に野猪などの害獣が慣れてしまい、駆除効果が乏しいという課題があった。
【０００５】
本考案は、このような課題に着目してなされたもので、長期にわたって害獣を効果的に駆除可能な害獣駆除装置を提供することを目的とする。
【課題を解決するための手段】
【０００６】
上記目的を達成するために、本考案に係る害獣駆除装置は、液体燃料を収容するための、上部が開放した燃料容器と、上部が開放し、下部に前記液体燃料を内部に通す孔を有し、前記燃料容器の内部に収容された燃焼用容器と、布材にガスケットロープを取り付けて成り、前記孔を通して前記燃焼用容器の内部に浸入した前記液体燃料に前記布材が浸るよう前記燃焼用容器の内部に収容された芯材とを、有することを、特徴とする。
液体燃料は、廃油から成ることが好ましい。燃料容器は、脚部を有することが好ましい。燃料容器の周辺に、芯材から出る炎の光を反射させる反射板を有することが好ましい。
燃料容器には、ガスケットロープから立ち上る炎を雨から守るため、屋根を取り付けてもよい。
【０００７】
本考案に係る害獣駆除装置は、燃料容器に廃油などの液体燃料を収容して使用する。燃料容器に入れた液体燃料は、燃焼用容器の孔を通って内部の布材およびガスケットロープに浸み込む。ガスケットロープに着火すると、揮発した液体燃料が燃え、燃焼用容器および燃料容器の上部から炎が出る。炎は、液体燃料が尽きるまで出続ける。猪などの害獣は、炎が見える場所には近づかない習性をもっている。このため、炎が出続ける間、害獣を寄せ付けないようにすることができる。害獣は、音と異なり、炎に対しては慣れることがないため、長期にわたって害獣を効果的に駆除することができる。
【考案の効果】
【０００８】
本考案によれば、長期にわたって害獣を効果的に駆除可能な害獣駆除装置を提供することができる。
【図面の簡単な説明】
【０００９】
【図１】本考案の実施の形態の害獣駆除装置を示す縦断面図である。
【考案を実施するための形態】
【００１０】
以下、図面に基づき本考案の実施の形態について説明する。
図１は、本考案の実施の形態の害獣駆除装置を示している。
害獣駆除装置は、燃料容器１と、燃焼用容器２と、芯材３と、反射板４とを有している。
【００１１】
燃料容器１は、液体燃料Ｆを収容するための容器であって、側面と底面とを有し、支持する脚部１１を有している。脚部１１の下端は、地面Ｇに埋設されることが好ましい。燃料容器１は、上部１２が開放している。液体燃料Ｆは、廃油から成ることが好ましい。燃焼用容器２は、燃料容器１より小さく、側面と底面とを有し、上部２１が開放している。燃焼用容器２は、下部周囲に等間隔で、液体燃料Ｆを内部に通す複数の孔２２を有している。燃焼用容器２は、燃料容器１の内部中央に設置、収容されている。
【００１２】
芯材３は、複数本に切断したガスケットロープ３１を布材３２に針金３３で巻き付けて成っている。布材３２は、ウェスから成る。芯材３は、孔２２を通して燃焼用容器２の内部に浸入した液体燃料Ｆに布材３２が浸るよう燃焼用容器２の内部に収容されている。
反射板４は、ステンレス製の長方形の板材４１と、板材４１を支持する基部４２とから成る。板材４１は、燃料容器１の高さより高く、その幅より広くなっている。反射板４は、燃料容器１の周辺に設置され、芯材３から出る炎５の光を反射させるようになっている。反射板４は、燃料容器１を挟む両側に設置することが好ましい。
【００１３】
次に、作用について説明する。
害獣駆除装置は、燃料容器１に廃油などの液体燃料Ｆを収容して使用する。燃料容器１に入れた液体燃料Ｆは、燃焼用容器２の孔２２を通って内部の布材３２およびガスケットロープ３１に浸み込む。ガスケットロープ３１に着火すると、揮発した液体燃料Ｆが燃え、燃焼用容器２および燃料容器１の上部２１、１２から炎５が出る。炎５は、液体燃料Ｆが尽きるまで出続ける。
【００１４】
猪などの害獣は、炎が見える場所には近づかない習性をもっている。このため、炎５が出続ける間、害獣を寄せ付けないようにすることができる。害獣は、音と異なり、炎に対しては慣れることがないため、長期にわたって害獣を効果的に駆除することができる。駆除可能な害獣は猪に限られず、熊、狐、鹿なども駆除可能である。
反射板４は、燃焼用容器２から立ち上る炎５を反射して見えやすくし、害獣の駆除効果を高める。
【００１５】
一例で、燃料容器１の上部１２の直径を４０ｃｍ、地面Ｇから上部１２までの高さを５０ｃｍ、燃焼用容器２の直径を１０ｃｍ、その高さを１２ｃｍとし、布材３２にバスタオル１枚分、ガスケットロープ３１に１．２ｍの長さのものを用い、液体燃料Ｆに１リットルの廃油を用いた場合、８時間から９時間にわたって炎５を出し続けることができる。その仕様の害獣駆除装置を畑の中央に設置した場合、３００坪の広さの畑を害獣から守ることができる。
なお、燃料容器１には、ガスケットロープ３１から立ち上る炎５を雨から守るため、屋根を取り付けてもよい。
【符号の説明】
【００１６】
Ｆ  液体燃料
Ｇ  地面
１  燃料容器
２  燃焼用容器
３  芯材
４  反射板
５  炎
１１  脚部
１２  燃料容器の上部
２１  燃焼用容器の上部
２２  孔
３１  ガスケットロープ
３２  布材
３３  針金
４１  板材
４２  基部
【図１】
0003228053.tif 000003
(57)【要約】      （修正有）【課題】蒸れを感じること無く、耳も痛くならず、しかも風通しの優れたマウスシールドを提供する。【解決手段】可撓性を有する透明プラスチック板からなり、正面視で左右方向寸法が上下方向寸法よりも長い本体２と、各対が凹部材と凸部材とからなる二対のスナップボタン３、４とを備え、本体２は、左右両端部に互いに遠ざかる斜め上方に延びる一対のひれを有し、各ひれよりも左右方向中心よりにそれぞれ一つ又は二つ以上の通気孔を有し、各対のスナップボタン３、４は、各ひれを湾曲させて凹凸嵌合可能なように各ひれに一対ずつに取り付けられ、左右の通気孔の間隔は、ヒトの口幅よりも広い。【選択図】図１
0003228049.tif 000002
【実用新案登録請求の範囲】
【請求項１】
可撓性を有する透明プラスチック板からなり、正面視で左右方向寸法が上下方向寸法よりも長い本体と、
各対が凹部材と凸部材とからなる二対のスナップボタンとを備え、
前記本体は、左右両端部に互いに遠ざかる斜め上方に延びる一対のひれを有し、各ひれよりも左右方向中心よりにそれぞれ一つ又は二つ以上の通気孔を有し、前記各対のスナップボタンは、各ひれを湾曲させて凹凸嵌合可能なように各ひれに一対ずつに取り付けられ、前記左右の通気孔の間隔は、ヒトの口幅よりも広い、
ことを特徴とするマウスシールド。
【考案の詳細な説明】
【技術分野】
【０００１】
この考案は、マウスシールドに関し、ヘルメットに簡易に装着して、病原体が飛沫感染するのを防ぐために好適に利用される。
【背景技術】
【０００２】
従来より、病原体の感染防止のため、不織布や布などからなり両側のゴムを耳に引っかけて固定するマスクや、プラスチックからなり、ヘルメットなどに固定するフェイスシールドが用いられている。
【考案の概要】
【考案が解決しようとする課題】
【０００３】
不織布や布などからなるマスクは、顔面に密着するため、息や汗によって蒸れる。また、ので、長時間使用すると耳が痛くなる。フェイスシールドは、目の前も覆うので、息によって曇るし、風通しが悪いので気温の高い環境で使用するのは、装着者にとって辛い。
それ故、この考案の課題は、蒸れを感じること無く、耳も痛くならず、しかも風通しの優れたマウスシールドを提供することにある。
【課題を解決するための手段】
【０００４】
課題を解決するこの考案のマウスシールドは、
可撓性を有する透明プラスチック板からなり、正面視で左右方向寸法が上下方向寸法よりも長い本体と、
各対が凹部材と凸部材とからなる二対のスナップボタンとを備え、
前記本体は、左右両端部に互いに遠ざかる斜め上方に延びる一対のひれを有し、各ひれよりも左右方向中心よりにそれぞれ一つ又は二つ以上の通気孔を有し、前記各対のスナップボタンは、各ひれを湾曲させて凹凸嵌合可能なように各ひれに一対ずつに取り付けられ、前記左右の通気孔の間隔は、ヒトの口幅よりも広い、
ことを特徴とする。
【０００５】
このマウスシールドを使用するときは、ヘルメットの本体から垂れ下がる左右のベルトの各々を巻くように各ひれを湾曲させて、各対のスナップボタンを凹凸嵌合させる。これにより、マウスシールドがヘルメットに固定される。従って、長時間使用しても耳が痛くならない。マウスシールドの本体は顔面に密着していないうえ、左右に通気孔を有するので、風通しが良く、蒸れを感じることもない。左右の通気孔の間隔は、ヒトの口幅よりも広いので、口からの飛沫が通気孔を通ることはなく前記本体にて遮断される。
【考案の効果】
【０００６】
以上のように、この考案のマウスシールドは、装着者にとって長時間快適に使用できるので、感染を有効に防止しつつ、作業をはかどらせることができる。
【図面の簡単な説明】
【０００７】
【図１】実施形態のマウスシールドを示す正面図である。
【図２】実施形態のマウスシールドの本体を示す正面図である。
【図３】実施形態のマウスシールドの使用状態を示す斜視図である。
【考案を実施するための形態】
【０００８】
実施形態のマウスシールド１は、図１に示すように、本体２と、二対のスナップボタン３、４とを備える。
本体２は、図２に示すように、可撓性を有する透明ＰＥＴ板からなり、正面視で左右方向寸法が上下方向寸法よりも長い。そして、左右両端部に互いに遠ざかる斜め上方に延びる一対のひれ２ａ、２ｂを有し、各ひれ２ａ、２ｂよりも左右方向中心よりにそれぞれ１１個ずつの通気孔２ｃ、２ｃ・・・２ｃ群、及び２ｄ、２ｄ・・・２ｄ群を有する。左の通気孔２ｃ、２ｃ・・・２ｃ群と右の通気孔２ｄ、２ｄ・・・２ｄ群との間隔は、ヒトの口幅よりも広い。ひれ２ａ、２ｂには、スナップボタン３、４を固着する合計４個の貫通孔（符号省略）が設けられている。
【０００９】
スナップボタン３、４は、各対が凹部材３ａ、４ａと凸部材３ｂ、４ｂとからなる。凹部材３ａ、４ａは、ひれ２ａ、２ｂの先端付近の前記貫通孔に固着され、凸部材３ｂ、４ｂは、ひれ２ａ、２ｂの延び始める部分の前記貫通孔に固着されている。
【００１０】
マウスシールド１を使用するときは、図３に示すように、ヘルメットの本体Ｈから垂れ下がる右のベルトＢを巻くようにひれ２ａを湾曲させて、スナップボタン３の凹部材３ａと凸部材３ｂを嵌合させることにより、ベルトＢにひれ２ａを固定する。図示しない左のベルトにも同様にしてひれ２ｂを固定する。これにより、マウスシールド１がヘルメットに固定される。
【００１１】
従って、ヘルメットを被りながら長時間使用しても耳が痛くならない。マウスシールド１の本体２は、可撓性を有する透明ＰＥＴ板からなるので、顔面Ｆに密着することがないうえ、左右に多数の通気孔を有するので、風通しが良く、蒸れを感じることもない。左右の通気孔群のうち、最も内側の通気孔同士でさえ、互いの間隔は、ヒトの口幅よりも広いので、口からの飛沫が通気孔を通ることはなく本体２にて遮断される。
【符号の説明】
【００１２】
１  マウスシールド
２  本体
３、４  スナップボタン
２ａ、２ｂ  ひれ
２ｃ、２ｄ  通気孔
【図１】
0003228049.tif 000003
【図２】
0003228049.tif 000004
【図３】
0003228049.tif 000005
(57)【要約】      （修正有）【課題】透明板でコの字ボックスを形成し、これを机上に立てることで、感染を防止する仕切りを提供する。【解決手段】長片１と短片２の二枚の平板を縦長にしてＬ字形に組み合わせ、交差部の内側を止め具３で止めて一体としたユニット体Ａを形成するとともに、ユニット体の短片側の反交差部の側面同士を接合して手前が開口したコの字ボックスを形成し、底面をテーブル上に立てる。【選択図】図３
0003228048.tif 000002
【実用新案登録請求の範囲】
【請求項１】
長片と短片の二枚の平板を縦長にしてＬ字形に組み合わせ、交差部の内側を止め具で止めて一体としたユニット体を形成するとともに、ユニット体の短片側の反交差部の側面同士を接合して手前が開口したコの字ボックスを形成し、底面をテーブル上に立てらせて前面、両隣との仕切りとしたことを特徴とする机上仕切り。  
【請求項２】
平板が透明な樹脂板であり、止め具が上下二か所に設けられる請求項１の机上仕切り。
【請求項３】
長片及び/又は短片の底部の適所にコードを通す孔を開けた請求項１又は２の机上仕切り。
【考案の詳細な説明】
【技術分野】
【０００１】
本考案は、テーブル等の机上を縦横に仕切る机上仕切りに関するものである。
【背景技術】
【０００２】
昨今、新型コロナウィルスの問題が世情を不安に陥れている。これに関して、密閉、密集、密接の３密を避けるように提唱されている。密集、密接の虞がある会議等でもソーシャルディステンスを確保するオンライン会議等によればよいが、細かなコミュニュケーションという観点からいえばそうはいかない。できることなら、一堂に会して会議をすることに越したことはないが、そうすると、感染の防止を考えなければならない。
【０００３】
このため、比較的密接して一つのテーブルに座っても感染が防がれるものとして、下記特許文献１のようなテーブル上に載せる仕切りを主体とするものが提案されている。しかし、これらは、底板を備えていたり、側板の内側に棚板を載せる突起を形成したりして、いずれも複雑でコストの高いものとなっている。単にウイルスの飛散を防ぐものであれば、ここまでの装備は必要ない。何よりも、同席者の人数や位置は使用(会議)ごとに異なっていることから。これらにも効果的に対処できるものが好ましい。
【先行技術文献】
【特許文献】
【０００４】
【特許文献１】実開昭６1―０３４９３３号公報
【考案の概要】
【考案が解決しようとする課題】
【０００５】
本考案は、構造が簡単で安価であり、着席者の人数、位置が変わっても、容易に対応できる机上仕切りを提供したものである。
【課題を解決するための手段】
【０００６】
以上の課題の下、本考案は、請求項１に記載した、長片と短片の二枚の平板を縦長にしてＬ字形に組み合わせ、交差部の内側を止め具で止めて一体としたユニット体を形成するとともに、ユニット体の短片側の反交差部の側面同士を接合して手前が開口したコの字ボックスを形成し、底面をテーブル上に立てらせて前面、両隣との仕切りとしたことを特徴とする机上仕切りを提供したものである。また、請求項２に記載した、平板が透明な樹脂板であり、止め具が上下二か所に設けられる構成、請求項３に記載した底部の適所にコードを通す孔を開けた構成を提供する。
【考案の効果】
【０００７】
請求項１の考案によれば、構造が簡単であるから、安価に製作できる。また、コの字ボックスを組み合わせることで、種々の仕切ができる。これにおいて、コの字ボックスの間も仕切り空間となるから、コの字ボックスの数が少なくて足りる。請求項２の構成によれば、前方、左右が視認できる。
【図面の簡単な説明】
【０００８】
【図１】机上仕切りのユニット体の斜視図である。
【図２】ユニット体の断面図である。
【図３】ユニット体を二個組み合わせた斜視図である。
【図４】ユニット体を組み合わせた平面図である。
【考案を実施するための形態】
【０００９】
以下、本考案の実施の形態を図面を参照して説明する。図１は机上仕切りのユニット体の斜視図であるが、ユニット体Ａは、長片１と短片２の二枚の平板を縦長にしてＬ字形に組み合わせ、交差部の内側を止め具３で止めて一体としたものである。この材質としては、ポリ塩化ビニール(ＰＶＣ)が適する。この種の製品によく使われるアクリル板であると、アルコールによって傷が付いたりして透明性が阻害される恐れがあって好ましくない。ユニット体Ａの寸法としては、長片１と短片２の厚みは４〜５ｍｍ、高さは８０ｃｍ、長片１の辺長が７０ｃｍ、短片２の辺長が４０ｃｍ程度が適する。ただ、これは一般的なものであり、これに限定されないし、長片１と短片２が同じ寸法の場合もある。
【００１０】
図２はユニット体Ａを水平面でカットした断面図であるが、止め具３は四角形をした小さなブロックであり、角を挟んだ隣接面にタップ孔が形成されており、その角を交差部にあてがい、これに長片１と短片２の外側からビス４を通して直角(Ｌ字形)に固定している。なお、止め具３の数は限らないが、通常は上下２個設けられている。
【００１１】
このＬ字形をしたユニット体Ａをテーブルの上に立てれば仕切りとなり、新型コロナウイウィリスの飛散を遮断できる。この場合に効果的なのは。図３のように、ユニット体Ａの短片２側の反交差部の側面同士を接合して平面視コの字ボックス５に形成することである。こうすれば前方と左右の両隣とを仕切れ、コの字ボックス５の内部は外部とシールドされる。なお、コの字ボックス５の内部にはパソコンやスピーカを置くこともあるので、電源用のコードを通す小さな孔６をあけておく。
【００１２】
コの字ボックス５の中にいる人は外の人と会話をしたり、物の受け渡しをすることがあるが、コの字ボックス５の高さが上記したものであれば、その上で会話ができ、物の受け渡しもできる。なお、上記の孔６の存在は人の声を通過させる作用がある。
【００１３】
コの字ボックス５はテーブル７の上で集積して使う場合が多い。会議等では一つのテーブル７に複数の人数が着積する。図４はその状態を示す平面図であるが、テーブル７の両側に出席者(本例では手前側と対向側に３人ずつの６人)の椅子８があり、これに着席する。このとき、テーブル７の上にコの字ボックス５を置くが、本例では、向きを対向させて、つまり、手前側には開口部をこちら側に向けて一つ分開けて２個置き、対向側には開けた部分の位置に開口部を向うに向けて１個置く。
【００１４】
こうすることで、６人全部が対向側と隣とに仕切を設けて着座できる。すなわち、コの字ボックス５の位置にいる人は、その開口部に頭を突っ込み、他の人は椅子８の位置に普通に座ればよい。コの字ボックス５ではない位置にいる人も間に長片１と短片&#9353;によって対向側と隣接側に仕切りが確保されるのである。この点で、コの字ボックス５の数も少なくてすむし、息苦しさも軽減される。
【符号の説明】
【００１５】
１    長片
２    短片
３    止め具
４    ビス
５    ボックス
６    孔
７    テーブル
８    椅子
Ａ    ユニット体
【図１】
0003228048.tif 000003
【図２】
0003228048.tif 000004
【図３】
0003228048.tif 000005
【図４】
0003228048.tif 000006